(57)【要約】【課題】短時間で洗浄が可能となる循環浄水装置の洗浄方法及び循環浄水装置を提供する。【解決手段】濾過装置１２を、浴槽１１に貯留した浴用水Ｗｏを使って逆洗処理した後に、浴槽１１に残った浴用水Ｗoに消毒液ＬＭを混入し、その消毒液ＬＭが混入した浴用水Ｗoに使って通常運転（濾過運転）時に浴用水Ｗｏが流れる各管１２ａ，１２ｂ，１５，１６，１７，１９，２０及び濾過装置１２を消毒処理するようにした。【選択図】図１
2007319801.tif 000002
【特許請求の範囲】
【請求項１】
水槽に貯留した水を取水する取水管と、
前記取水管を通過して取水された前記水を濾過処理する濾過装置と、
前記濾過装置にて濾過処理された処理水を前記水槽へ供給する給水管と
を備えた循環浄水装置の洗浄方法において、
前記水槽に貯留した水によって前記濾過装置内に堆積した前記水中の懸濁物を除去する除去工程と、
前記水中の懸濁物を除去した後に、前記取水管、前記給水管及び前記濾過装置内に消毒剤を通過させて前記取水管、前記給水管及び前記濾過装置内を消毒処理する消毒工程と
を備えたことを特徴とする循環浄水装置の洗浄方法。
【請求項２】
請求項１に記載の循環浄水装置の洗浄方法において、
前記消毒工程は、
前記取水管及び前記給水管内を消毒処理する第１の消毒工程と、
前記取水管及び前記給水管内を消毒処理した後に、前記濾過装置内を消毒処理する第２の消毒工程と
を備えたことを特徴とする循環浄水装置の洗浄方法。
【請求項３】
請求項２に記載の循環浄水装置の洗浄方法において、
前記第１の消毒工程は、前記水槽内に、前記取水管及び前記給水管内を満たす最小の量の水が貯留したときに前記消毒剤を供給し、前記水槽、前記取水管及び前記給水管をそれぞれ循環させることで行うようにしたことを特徴とする循環浄水装置の洗浄方法。
【請求項４】
請求項１〜３のいずれか一つに記載の循環浄水装置の洗浄方法において、
前記消毒剤は、前記水と中和する中和性を有していることを特徴とする循環浄水装置の洗浄方法。
【請求項５】
請求項４に記載の循環浄水装置の洗浄方法において、
前記消毒剤は、次亜塩素酸ナトリウムと希塩酸との混合物を含んでいることを特徴とする循環浄水装置の洗浄方法。
【請求項６】
水槽に貯留した水を取水する取水管と、
前記取水管を通過して取水された前記水を濾過処理する濾過装置と、
前記濾過装置にて濾過処理された処理水を前記水槽へ供給する給水管と、
を備えた循環浄水装置において、
前記取水管と連通するとともに消毒剤を貯留し、その貯留した前記消毒剤を、前記水槽に貯留した水によって前記濾過装置内に堆積した前記水中の懸濁物を除去した後に前記取水管に供給可能とする消毒剤供給部を備えたことを特徴とする循環浄水装置。
【請求項７】
請求項６に記載の循環浄水装置において、
前記水槽は、当該水槽内に前記取水管及び前記給水管内を満たす量だけの水が貯留されているか否かを判断する貯留量測定手段を備えていることを特徴とする循環浄水装置。
【請求項８】
請求項６に記載の循環浄水装置において、
前記水槽は、前記取水管及び前記給水管内を満たす量だけの水を貯留する貯留手段を備えていることを特徴とする循環浄水装置。
【発明の詳細な説明】
【技術分野】
【０００１】
本発明は、循環浄水装置の洗浄方法及び循環浄水装置に関する。
【背景技術】
【０００２】
従来より、たとえば、大型浴槽に貯留された湯や温泉水等といった浴用水を浄化処理して再利用する循環浄水装置が知られている。循環浄化装置は、一般に、流路に濾過装置を配設して、その濾過装置によって浴用水の中に含有された懸濁物の沈殿を除去して浄化し、再び、その浄化された浴用水を浴槽に送り戻すことで浴用水を長時間使用可能としている（たとえば、「特許文献１」参照）。
【０００３】
ところで、この種の循環浄水装置では、定期的に、流路を構成する配水管や濾過装置を消毒洗浄して、配水管や濾過装置内に付着した大腸菌群やレジオネラ属菌といった各種細菌を除去する必要がある。そこで、浴槽内の浴用水に殺菌作用を有した次亜塩素酸ナトリウムを混入し、その消毒剤が混入した浴用水で濾過運転を行うことで配管や濾過装置内を消毒処理するようにしている。そして、その後、その濾過運転に使用した浴用水を使って逆洗処理することで、濾過装置内に堆積された懸濁物を除去するようにしている。
【特許文献１】特開２００４−３３７７３９号公報
【発明の開示】
【発明が解決しようとする課題】
【０００４】
しかしながら、上記循環浄水方法では、逆洗処理によって配管や濾過装置内に残留した次亜塩素酸ナトリウムを除去するために、逆洗処理後に、一旦、浴槽に水を張り、再度、逆洗処理を行うことで次亜塩素酸ナトリウムを濯ぎ取るようにしていた。そして、その後、再度、浴槽に水を張り浴用水として使用するようにしている。
【０００５】
このため、循環浄水装置の洗浄には、多大な時間を要するという問題があった。特に、近年、スパといった大型浴場施設の普及に伴って浴槽が大型化される傾向にあるため、上記洗浄時間の長時間化が顕著になる。
【０００６】
そこで、本発明は、短時間で洗浄が可能となる循環浄水装置の洗浄方法及び循環浄水装置を提供することを目的とする。
【課題を解決するための手段】
【０００７】
請求項１に記載の発明は、水槽に貯留した水を取水する取水管と、前記取水管を通過して取水された前記水を濾過処理する濾過装置と、前記濾過装置にて濾過処理された処理水を前記水槽へ供給する給水管とを備えた循環浄水装置の洗浄方法において、前記水槽に貯留した水によって前記濾過装置内に堆積した前記水中の懸濁物を除去する除去工程と、前記水中の懸濁物を除去した後に、前記取水管、前記給水管及び前記濾過装置内に消毒剤を通過させて前記取水管、前記給水管及び前記濾過装置内を消毒処理する消毒工程とを備えたことを要旨とする。
【０００８】
請求項２に記載の発明は、請求項１に記載の循環浄水装置の洗浄方法において、前記消毒工程は、前記取水管及び前記給水管内を消毒処理する第１の消毒工程と、前記取水管及び前記給水管内を消毒処理した後に、前記濾過装置内を消毒処理する第２の消毒工程とを備えたことを要旨とする。
【０００９】
請求項３に記載の発明は、請求項２に記載の循環浄水装置の洗浄方法において、前記第
１の消毒工程は、前記水槽内に、前記取水管及び前記給水管内を満たす最小の量の水が貯留したときに前記消毒剤を供給し、前記水槽、前記取水管及び前記給水管をそれぞれ循環させることで行うようにしたことを要旨とする。
【００１０】
請求項４に記載の発明は、請求項１〜３のいずれか一つに記載の循環浄水装置の洗浄方法において、前記消毒剤は、前記水と中和する中和性を有していることを要旨とする。
請求項５に記載の発明は、請求項４に記載の循環浄水装置の洗浄方法において、前記消毒剤は、次亜塩素酸ナトリウムと希塩酸との混合物を含んでいることを要旨とする。
【００１１】
請求項６に記載の発明は、水槽に貯留した水を取水する取水管と、前記取水管を通過して取水された前記水を濾過処理する濾過装置と、前記濾過装置にて濾過処理された処理水を前記水槽へ供給する給水管と、を備えた循環浄水装置において、前記取水管と連通するとともに消毒剤を貯留し、その貯留した前記消毒剤を、前記水槽に貯留した水によって前記濾過装置内に堆積した前記水中の懸濁物を除去した後に前記取水管に供給可能とする消毒剤供給部を備えたことを要旨とする。
【００１２】
請求項７に記載の発明は、請求項６に記載の循環浄水装置において、前記水槽は、当該水槽内に前記取水管及び前記給水管内を満たす量だけの水が貯留されているか否かを判断する貯留量測定手段を備えていることを要旨とする。
【００１３】
請求項８に記載の発明は、請求項６に記載の循環浄水装置において、前記水槽は、前記取水管及び前記給水管内を満たす量だけの水を貯留する貯留手段を備えていることを要旨とする。
（作用）
請求項１に記載の発明によれば、水槽に貯留した水によって濾過装置内に堆積した懸濁物を除去してその懸濁物を含んだ汚濁水を排出させた後に、水槽に残った水に消毒剤を混入して各取水管、給水管及び濾過装置を消毒処理するようにした。従って、従来のような、消毒剤を含んだ浴用水を使って濾過運転を行う必要がない。この結果、循環浄水装置を短時間で洗浄することができる。
【００１４】
請求項２に記載の発明によれば、取水管及び給水管の消毒処理と濾過装置の消毒処理とを分けて行うことで、取水管及び給水管に流す消毒剤の濃度を濾過装置に流す消毒剤と異ならせることができる。従って、例えば、消毒剤として次亜塩素酸ナトリウムを使用した場合、濾過装置に流す消毒剤の濃度を、取水管及び給水管に流す消毒剤の濃度に比べて高くすることで濾過装置を確実に消毒させることができるとともに、取水管及び給水管に残る次亜塩素酸ナトリウムの量を少なくさせて次亜塩素酸ナトリウム特有のにおいが残るのを抑えることができる。
【００１５】
請求項３に記載の発明によれば、取水管及び給水管内を満たすだけの量の水に対して消毒剤を投入することで、取水管及び給水管に高濃度の消毒剤を環流させることができる。この結果、取水管及び給水管内の細菌を確実に消毒することができる。また、例えば、取水管や給水管に、水槽に貯留した水を環流させるためのポンプが設けられている循環浄水装置では、そのポンプ内に空気が混入することはない。この結果、ポンプが吸い込んだ空気によって異常な音を立てたり、その運転に負担がかかったりするのが抑制される。この結果、循環浄水装置の洗浄時における静粛性や安全性を向上させることが可能となる。
【００１６】
請求項４に記載の発明によれば、消毒剤は水によって直ちに中和する。従って、従来のように、取水管、給水管及び濾過装置内に残留した消毒剤を濯ぎ取るために、再度、水槽に水を張り取水管、給水管及び濾過装置内に流す必要はない。この結果、消毒処理後に、水槽に水を張ることによって水槽を使用可能となることから、循環浄水装置を短時間で洗
浄することができる。
【００１７】
請求項５に記載の発明によれば、消毒剤として新たな消毒剤を開発すること無く従来から知られている次亜塩素酸ナトリウムと希塩酸との混合物を使用することができる。
請求項６に記載の発明によれば、水槽に貯留した水によって濾過装置内に堆積した懸濁物を除去してその懸濁物を含んだ汚濁水を排出させた後に、水槽に残った水に消毒剤を混入して各取水管、給水管及び濾過装置を消毒処理するようにした。従って、従来のような、消毒剤を含んだ浴用水を使って濾過運転を行う必要がない。この結果、循環浄水装置を短時間で洗浄することができる。
【００１８】
請求項７に記載の発明によれば、貯留量測定手段によって水槽内に取水管及び給水管内を満たすだけの量の水が貯留したことが分かる。そして、水槽内に取水管及び給水管内を満たすだけの量の水が貯留された時点で消毒剤を投入することで、取水管及び給水管に高濃度の消毒剤を環流させることができる。この結果、取水管及び給水管内を確実に消毒処理することができる。
【００１９】
請求項８に記載の発明によれば、貯留手段に貯留した量の水に対して消毒剤を投入することで、高濃度の消毒剤を取水管及び給水管に環流させることができる。この結果、取水管及び給水管内を確実に消毒処理することができる。
【発明を実施するための最良の形態】
【００２０】
（第１実施形態）
以下、本発明の循環浄水装置を具体化した一実施形態を、図面に従って説明する。
図１に示す循環浄水装置１０は、水槽としての浴槽１１、濾過装置１２、貯留量測定手段として貯留量測定部１３及び消毒剤供給部１４を備えている。また、循環浄水装置１０は、各浴槽１１、濾過装置１２、消毒剤供給部１４間を連結する各種配管及び各配管間の連通を制御するバルブ等を備えている。
【００２１】
詳しくは、図１に示すように、浴槽１１は略直方形状をしており、その底面１１ａに取水口Ｑａが設けられているとともに、当該取水口Ｑａには取水管１５の一端が連結されている。また、前記浴槽１１の一側面１１ｂには給水口Ｑｂが設けられ、当該給水口Ｑｂに給水管１６の一端が連結されている。
【００２２】
取水管１５の他端は、第２バルブＢ２を介して第１排出管Ｈ１に連結されている。また、取水管１５の他端は、第１バルブＢ１を介して第１ポンプＰ１の吸水口に連結されている。第１ポンプＰ１の排水口には排水管１７の一端が連結され、当該排水管１７の他端は逆止弁を含むバタフライ弁１８及び流量計Ｔ等を介して配管１９に連結されている。配管１９の一端には切替バルブＢｓが設けられている。
【００２３】
切替バルブＢｓは、濾過装置１２の吸水管１２ａを介して当該濾過装置１２の原水用供給口Ｇａに連結されるとともに、濾過装置１２の排水管１２ｂを介して当該濾過装置１２の処理水排出口Ｇｂに連結されている。排水管１２ｂは、その所定の位置にて第５バルブＢ５を介して第１排水管２１に連結されている。第１排水管２１は第１排出管Ｈ１に連結されている。
【００２４】
また、切替バルブＢｓは、バイパス管２０の一端が連結されている。バイパス管２０の他端は、第３バルブＢ３を介して前記給水管１６に連結される。また、バイパス管２０の他端は、第４バルブＢ４を介して第３排水管２３に連結されている。第３排水管２３は、前記第１排出管Ｈ１に連結されている。さらに、切替バルブＢｓは、第２排水管２２の一端が連結されている。第２排水管２２の他端は第２排出管Ｈ２に連結されている。
【００２５】
そして、この切替バルブＢｓは、図示しない制御部からの操作信号に従って各種モードに切り替え制御されるようになっている。たとえば、前記制御部から通常運転（濾過運転）の旨の操作信号が入力されると、切替バルブＢｓは、配管１９と吸水管１２ａとを連通させるとともに、排水管１２ｂとバイパス管２０とを連通させる（以下、「濾過運転モード」という）。
【００２６】
また、前記制御部から逆洗運転の旨の操作信号が入力されると、切替バルブＢｓは、配管１９と排水管１２ｂとを連通させるとともに、吸水管１２ａと第２排水管２２とを連通させる（以下、「逆洗運転モード」という）。
【００２７】
さらに、前記制御部から濾過装置洗浄の旨の操作信号が入力されると、切替バルブＢｓは、配管１９と吸水管１２ａとを連通させるとともに、排水管１２ｂと第２排水管２２とを連通させる（以下、「濾過装置洗浄モード」という）。
【００２８】
さらにまた、前記制御部から配管洗浄の旨の操作信号が入力されると、切替バルブＢｓは、配管１９とバイパス管２０とを連通させる（以下、「配管洗浄モード」という）。
尚、濾過装置１２は本実施形態では、公知の砂濾過装置であって、その内部に図示しない砂状の濾過材が充填されている。また、濾過装置１２は略円筒形状であって、原水用供給口Ｇａはその上部に設けられているとともに、処理水排出口Ｇｂは下部に設けられている。そして、濾過装置１２は、原水用供給口Ｇａから浴用水Ｗoが供給されると、前記濾
過材によって浴用水Ｗoを濾過処理し浴用水Ｗo中の懸濁物を除去した処理水Ｗ1（図２参
照）を生成して、処理水排出口Ｇｂからその処理水Ｗ1を排出するものである。
【００２９】
また、浴槽１１には、新水供給管Ｌｏが設けられている。この新水供給管Ｌｏは、その一端が新水配給管Ｈ３に連結されており、新水配給管Ｈ３を介して供給される新たな浴用水Ｗoを浴槽１１に供給するようになっている。
【００３０】
貯留量測定部１３は、水位計１３ａ及び検出器Ｋを備えている。水位計１３ａは、浴槽１１に貯留した浴用水Ｗoを計量するためのものであって、その浴用水Ｗoの水位に応じた信号Ｓを検出器Ｋに出力する。
【００３１】
検出器Ｋは、図示しないＲＯＭ、ＣＰＵ及び当該ＣＰＵの演算結果等を一時記憶するＲＡＭ、報知手段等を内蔵している。この検出器ＫのＲＯＭには、予め、取水管１５及び給水管１６内を満たすだけの最小の浴用水Ｗoの量（以下、「最小浴用水量」という）が記
憶されている。検出器ＫのＣＰＵは、水位計１３ａから入力した信号Ｓに基づいて、その時々の浴槽１１に貯留した浴用水Ｗoの量を算出するとともに、その算出結果とＲＯＭに
記憶された最小浴用水量とを比較する。そして、浴槽１１に貯留した浴用水Ｗoの量が、
最小浴用水量と一致した場合、その旨の信号を前述した図示しない外部制御部に出力するとともに、その旨の結果を報知手段を介して報知するようになっている。この報知手段は、例えば、ランプや警報音等である。
【００３２】
ここで、排水管１７、配管１９及びバイパス管２０の各配管長の総和は、取水管１５及び給水管１６の配管長の総和に比べて十分に短いものとする。従って、浴槽１１に貯留した浴用水Ｗoの量が前記最小浴用水量と一致した場合では、ほぼ浴用水Ｗoを、浴槽１１→取水管１５→排水管１７→配管１９→バイパス管２０→給水管１６→浴槽１１という経路で環流させたとき、その途中で空気の混入が生じること無く最小の量の浴用水Ｗoを環流
させることができる。
【００３３】
消毒剤供給部１４は、消毒液生成装置１４Ａ、消毒液貯留槽１４Ｂ、第２ポンプＰ２及
び第６バルブＢ６を備えている。消毒液生成装置１４Ａは、消毒剤としての消毒液ＬＭを生成するためのものである。この消毒液ＬＭは、本実施形態では、浴用水Ｗoと接触する
と、酸化還元反応により中和する中和性を有した消毒剤である。また、本実施形態では、消毒液ＬＭは、次亜塩素酸ナトリウムと希塩酸とを２：１の比率で混合させたものである。尚、この次亜塩素酸ナトリウムと希塩酸との混合比率は、上記比率に限定されるものではなく、浴用水ＷoのｐＨ値によって適宜変更してもよい。そして、消毒液生成装置１４
Ａは、その生成した消毒液ＬＭを消毒液貯留槽１４Ｂに供給するようになっている。
【００３４】
消毒液貯留槽１４Ｂは、第２ポンプＰ２及び第６バルブＢ６を介して配管２４の一端に連結されている。配管２４の他端は、取水管１５に連結されている。そして、第６バルブＢ６が開いたタイミングで第２ポンプＰ２を駆動させることによって消毒液貯留槽１４Ｂに貯留された消毒液ＬＭが配管２４を介して取水管１５へ供給される。
【００３５】
尚、本実施形態では、前記各管１５〜２３は塩化ビニルから成る樹脂で構成されている。
次に、前述した循環浄水装置１０の洗浄方法について図２〜図７に従って説明する。
【００３６】
通常運転（濾過運転）
まず、循環浄水装置１０を通常運転させる場合について図２に従って説明する。この通常運転とは、浴槽１１に所定量の浴用水Ｗoが貯留された状態であって、且つ、その浴槽
１１内の浴用水Ｗoを濾過装置１２によって浄化させて、再び、その浄化された処理水Ｗ1を浴槽１１に送り戻して浴用水Ｗoとして使用する濾過運転状態である。
【００３７】
この場合、前記制御部（図示略）から通常運転（濾過運転）の旨の操作信号を出力して切替バルブＢｓを濾過運転モードにする。また、手動により第１バルブＢ１及び第３バルブＢ３を開き、第２バルブＢ２、第４バルブＢ４及び第５バルブＢ５を閉じる。さらに、制御部は、第１ポンプＰ１を駆動させる。尚、このとき、手動により第６バルブＢ６（図１参照）を閉じるとともに、第２ポンプＰ２を停止させておく。
【００３８】
すると、図２に示すように、浴槽１１内の浴用水Ｗoは、取水管１５→排水管１７→配
管１９→吸水管１２ａという順路を介して原水用供給口Ｇａから濾過装置１２に供給される。そして、浴用水Ｗoは、濾過装置１２にて濾過処理されて浄化され、その浄化されて
生成された処理水Ｗ1が処理水排出口Ｇｂから排出され、排水管１２ｂ→バイパス管２０
→給水管１６という順路を介して浴槽１１に供給される。従って、浴槽１１には処理水Ｗ1が供給されることから、浴槽１１には懸濁物が除去された浴用水が供給され続ける。
【００３９】
洗浄運転（逆洗運転）
次に、循環浄水装置１０を洗浄する場合、まず、前記制御部（図示略）から逆洗運転の旨の操作信号を出力して切替バルブＢｓを逆洗運転モードにする。また、このとき、手動により第３バルブＢ３を閉じる。
【００４０】
すると、図３に示すように、浴槽１１内の浴用水Ｗoは、取水管１５→排水管１７→配
管１９→排水管１２ｂという順路を介して処理水排出口Ｇｂから濾過装置１２に供給される。そして、濾過装置１２は浴用水Ｗoによって逆洗処理され、その濾過装置１２内の濾
過材に付着した懸濁物を含んだ汚濁水Ｗ2が原水用供給口Ｇａから排出され、吸水管１２
ａ→第２排水管２２を介して第２排出管Ｈ２へ排出される。この結果、濾過装置１２に堆積した懸濁物が濾過装置１２から除去される（除去工程）。
【００４１】
続いて、第１ポンプＰ１を停止させるとともに、手動により第１バルブＢ１を閉じるとともに、第２、第３、第４及び第５バルブＢ２，Ｂ３，Ｂ４，Ｂ５を開く。
すると、図４に示すように、浴槽１１内の浴用水Ｗoが、取水管１５を介して第１排出
管Ｈ１へ排出されるとともに、同時に、給水管１６及び第３排水管２３を介して第１排出管Ｈ１へ排出される。この結果、浴槽１１の浴用水Ｗoの量は徐々に減少し始める。また
、濾過装置１２内に貯留した浴用水Ｗoは第１排水管２１を介して第１排出管Ｈ１へ排水
される。
【００４２】
配管洗浄（第１の消毒工程）
暫くすると、図５に示すように、浴槽１１の浴用水Ｗoの量が、取水管１５及び給水管
１６内を満たすだけの最小の浴用水Ｗoの量（最小浴用水量）になる。すると、検出器Ｋ
がその旨を検知し、報知手段によってその旨を報知する。これを受けて、制御部（図示略）から配管洗浄の旨の操作信号を出力して切替バルブＢｓを配管洗浄モードにする。また、手動により第１バルブＢ１を開き、第２バルブＢ２、第４バルブＢ４及び第５バルブＢ５を閉じる。さらに、第１ポンプＰ１を駆動する。さらにまた、手動により第６バルブＢ６を開くとともに、第２ポンプＰ２（図１参照）を駆動させる。
【００４３】
すると、消毒液貯留槽１４Ｂ（図１参照）から消毒液ＬＭが配管２４を介して取水管１５へ供給される。この結果、取水管１５にて消毒液ＬＭと浴用水Ｗoとが合流した後、そ
の消毒液ＬＭを含んだ浴用水Ｗoが、排水管１７→配管１９→バイパス管２０→給水管１
６→浴槽１１→取水管１５の順路で環流する。このとき、各管を介して環流する浴用水Ｗoの量は、ほぼ、取水管１５及び給水管１６内を満たす最小の量（最小浴用水量）である
。従って、消毒液ＬＭが高い濃度で環流することから、取水管１５、排水管１７、配管１９、バイパス管２０、給水管１６及び浴槽１１内の細菌が消毒される（第１の消毒工程）。また、その環流の経路の途中で空気が混入することは無い。
【００４４】
尚、本実施形態では、消毒液ＬＭを含んだ浴用水Ｗoが、排水管１７→配管１９→バイ
パス管２０→給水管１６→浴槽１１→取水管１５を、循環浄水装置１０全体の規模（たとえば、各管１５〜２３の配管長）に応じて、例えば、３〜６回程度環流する期間だけ行うようにする。このようにすることで、各取水管１５、排水管１７、配管１９、バイパス管２０、給水管１６及び浴槽１１内の消毒処理を、確実に行うことができる。
【００４５】
続いて、手動により第１バルブＢ１を閉じるとともに、第２及び第４バルブＢ２，Ｂ４を開く。また、第１ポンプＰ１を停止させる。さらに、第６バルブＢ６（図１参照）を閉じるとともに、第２ポンプＰ２を停止する。
【００４６】
すると、図６に示すように、浴槽１１内の浴用水Ｗoは、取水管１５を介して第１排出
管Ｈ１へ排出されるとともに、同時に、給水管１６及び第３排水管２３を介して第１排出管Ｈ１へ排出される。この結果、浴槽１１内の浴用水Ｗoの量が徐々に減少し、暫くする
と無くなる。
【００４７】
濾過装置洗浄（第２の消毒工程）
次に、前記制御部（図示略）から濾過装置洗浄の旨の操作信号を出力して切替バルブＢｓを濾過装置洗浄モードにする。また手動により第１バルブＢ１及び第６バルブＢ６（図１参照）を開くとともに、第２、第３及び第４バルブＢ２，Ｂ３，Ｂ４を閉じる。さらに、第１ポンプＰ１及び第２ポンプＰ２（図１参照）を駆動させる。
【００４８】
すると、図７に示すように、消毒液貯留槽１４Ｂ（図１参照）から消毒液ＬＭが配管２４を介して取水管１５へ供給される。そして、その消毒液ＬＭは、取水管１５→排水管１７→配管１９→吸水管１２ａという順路を介して原水用供給口Ｇａから濾過装置１２に供給される。そして、消毒液ＬＭは、濾過装置１２内を通過して処理水排出口Ｇｂから排出され、排水管１２ｂ→第２排水管２２を介して第２排出管Ｈ２に排水される。
【００４９】
この結果、希釈されていない消毒液ＬＭ（原液）が濾過装置１２に流れることから、濾過装置１２内が短時間で消毒処理される。
その後、前記制御部（図示略）から濾過運転の旨の操作信号を出力して切替バルブＢｓを濾過運転モードにする。また、手動により第１バルブＢ１及び第３バルブＢ３を開く。さらに、第６バルブＢ６を閉じるとともに第２ポンプＰ２を停止させる。そして、新水配給管Ｈ３を介して新たな浴用水Ｗoを浴槽１１に供給する。そして、第１ポンプＰ１を駆
動させる。すると、その浴槽１１内の浴用水Ｗoを濾過装置１２によって浄化し、再び、
その浄化された処理水Ｗ1を浴槽に送り戻して浴用水Ｗoとして使用可能となる。
【００５０】
上記したように、本実施形態によれば、以下の作用効果を奏する。
（１）本実施形態によれば、浴用水Ｗｏを使って濾過装置１２を逆洗処理した後に、浴槽１１に残った浴用水Ｗoに消毒液ＬＭを混入し、その消毒液ＬＭが混入した浴用水Ｗoを使って通常運転（濾過運転）時に浴用水Ｗｏが流れる各管１２ａ，１２ｂ，１５，１６，１７，１９，２０及び濾過装置１２を消毒処理するようにした。従って、従来のように、消毒剤が混入した浴用水を使って濾過運転を行わないことから、循環浄水装置を短時間で洗浄することができる。
【００５１】
（２）本実施形態によれば、取水管１５及び給水管１６内を満たすだけの最小の浴用水Ｗoの量（最小浴用水量）が浴槽１１に貯留したときに、消毒液ＬＭを取水管１５に供給
するようにした。そして、消毒液ＬＭが混入した浴用水Ｗoを、浴槽１１→取水管１５→
排水管１７→配管１９→バイパス管２０→給水管１６→浴槽１１の順路でそれぞれ循環させるようにした。従って、高濃度の消毒液ＬＭを、取水管１５、排水管１７、配管１９、バイパス管２０、給水管１６内にその途中で空気を混入させることなく流すことができる。この結果、各管１５，１７，１９，２０，１６を確実に消毒することができる。
【００５２】
また、第１ポンプＰ１内に空気が混入することはないので、第１ポンプＰ１が吸い込んだ空気によって異常な音を立てたり、その駆動に負担がかかったりすることはない。この結果、循環浄水装置１０の洗浄時における静粛性や安全性を向上させることが可能となる。
【００５３】
（３）本実施形態によれば、消毒液ＬＭが混入した浴用水Ｗoを、浴槽１１→取水管１
５→排水管１７→配管１９→バイパス管２０→給水管１６→浴槽１１の順路で循環させて各管１５，１７，１９，２０，１６を消毒した。その後、消毒液ＬＭを、排水管１７→配管１９→吸水管１２ａ→濾過装置１２→排水管１２ｂ→第２排水管２２の順路で流して濾過装置１２を消毒した。このようにすることで、濾過装置１２に、浴用水Ｗoによって希
釈されていない消毒液ＬＭの原液を流すことができることから、濾過装置１２内を短時間で確実に消毒処理することができる。
【００５４】
（４）本実施形態によれば、消毒液ＬＭとして、次亜塩素酸ナトリウムと希塩酸とを所定の濃度で混合させた消毒液を使用した。従って、消毒液ＬＭは、浴用水Ｗoと接触する
と直ちに中和することから、従来のように、取水管１５、給水管１６及び濾過装置１２内に残留した消毒剤を濯ぎ取る必要はない。この結果、消毒処理後に、直ちに浴槽１１に新たな浴用水Ｗoを張って使用することができることから、循環浄水装置１０を短時間で洗
浄することができる。
【００５５】
（５）本実施形態によれば、消毒液ＬＭとして、次亜塩素酸ナトリウムと希塩酸とを所定の濃度で混合させた公知の消毒液を使用した。この結果、消毒剤として新たな消毒剤を開発する必要はないので、循環浄水装置１０を低コストで洗浄することができる。
【００５６】
（６）本実施形態によれば、浴槽１１に水位計１３ａを設けた。また、その水位計１３ａによって計量された浴用水Ｗoが、取水管１５及び給水管１６内を満たす量だけの最小
となったときに、その旨を報知する検出器Ｋを設けた。従って、取水管１５及び給水管１６内にその途中で空気を混入させることなく高濃度の消毒液ＬＭを供給させることができる。
（第２実施形態）
次に、本発明の循環浄水装置を具体化した第２実施形態について、図８に従って説明する。本実施形態では、浴槽の形状に特徴があるとともに、それに伴って水位計１３ａ及び検出器Ｋが設けられていない点が上記第１実施形態に係る循環浄水装置と相違している他は第１実施形態と同様である。
【００５７】
詳しくは、本実施形態の浴槽２５は、その底面１１ａに貯留手段としての凹部２５ａが形成されている。凹部２５ａの底面２６には、第２の取水口Ｑaoが設けられている。第２の取水口Ｑaoは、取水管１５に連通している。
【００５８】
そして、この凹部２５ａは、その容積（図８中斜線で示された部分）が前述した浴用水Ｗoの最小浴用水量と一致するように予め設計されている。従って、浴用水Ｗoの残量が、この凹部２５ａを満たしたことを目視で確認するようにし、このタイミングで消毒液ＬＭを取水管１５に供給することによって、途中で空気を混入させることなく高濃度の消毒液ＬＭを、取水管１５、排水管１７、配管１９、バイパス管２０、給水管１６内に循環させることが可能となる。
【００５９】
尚、その他の構成については、上記第１実施形態と同様であることから、その詳細な説明を省略する。
上記したように、本実施形態によれば、以下の作用効果を奏する。
【００６０】
（１）本実施形態によれば、浴用水Ｗoの残量が、この凹部２５ａを満たしたことを目
視で確認するようにし、このタイミングで消毒液ＬＭを取水管１５に供給するようにした。従って、水位計１３ａ及び検出器Ｋを設けること無く、各管１５，１７，１９，２０，１６を確実に消毒処理することができる。
（第３実施形態）
次に、本発明の循環浄水装置を具体化した第３実施形態について、図９に従って説明する。
【００６１】
図９に示すように、本実施形態においては、消毒剤供給部１４の第６バルブＢ６と、取水管１５とを連結する配管２４は、その所定の位置にて第２の配管２４ａの一端が連結されている。また、第２の配管２４ａの他端は、バイパス管２０に連結されている。
【００６２】
従って、第６バルブＢ６が開いたタイミングで第２ポンプＰ２を駆動させることによって消毒液貯留槽１４Ｂに貯留された消毒液ＬＭは取水管１５及びバイパス管２０へそれぞれ供給される。
【００６３】
この結果、上記配管洗浄（第１の消毒処理）工程において、消毒液貯留槽１４Ｂから消毒液ＬＭは、取水管１５に供給され、その消毒液ＬＭを含んだ浴用水Ｗoが、取水管１５
→排水管１７→配管１９の順で流れるが、これと同時に、バイパス管２０にも消毒液貯留槽１４Ｂから消毒液ＬＭが直接供給される。そして、バイパス管２０に直接供給された消毒液ＬＭは、バイパス管２０→給水管１６→浴槽１１→取水管１５の順路で環流する。
【００６４】
尚、他の部材については、上記第１実施形態と同じであるため、同じ符号を付してその詳細な説明を省略する。
上記したように、本実施形態によれば、以下の作用効果を奏する。
【００６５】
（１）本実施形態によれば、消毒液貯留槽１４Ｂから供給された消毒液ＬＭを取水管１５及びバイパス管２０に供給されるようにした。従って、バイパス管２０及び給水管１６には、比較的濃度の高い消毒液ＬＭを含んだ浴用水Ｗoが流れることから、上記第１実施
形態に比べてバイパス管２０及び給水管１６内の消毒処理を確実に行うことができる。
【００６６】
尚、この発明は以下のように変更して具体化することもできる。
・上記第１実施形態では、浴槽１１は略直方形状を成していたが、本発明は、これに限定されるものではなく、他の形状を成していてもよい。例えば、図１０に示すように、その底面１１ａの深さが一方向側に沿って徐々に向かって深くなっているような形状を成した浴槽３０に対しても本発明は適用可能である。
・上記各実施形態では、消毒液ＬＭとして次亜塩素酸ナトリウムと希塩酸とを所定の濃度で混合させたものを使用したが、本発明は、これに限定されない。たとえば、過酸化水素を使用してもよい。
・上記各実施形態では、各第１〜第６バルブＢ１〜Ｂ６は全て手動によってその開閉制御が行われるものであったが、本発明は、これに限定されるものではなく、全てまたはその一部が自動で開閉制御されるようにしてもよい。このようにした場合であっても、上記各実施形態と同様の効果を得ることができる。
・上記各実施形態では、浴槽１１，２５では、取水口Ｑａは直接浴用水Ｗoを取水するが
、本発明は、これに限定されるものではなく、取水口Ｑａ上に、その周囲に穴を設けた蓋を取り付けてもよい。たとえば、図１１に示すように、底面１１ａに設けられた取水口Ｑａの周囲には窪みが形成され、その窪みに取水口Ｑａを覆うようにして略円筒形状をした蓋４０が底面１１ａに対して固着されている。蓋４０は、上部４１は密閉されているとともにその側壁に複数の孔４２を備えており、当該孔４２を介して浴用水Ｗoが図１０中一
点鎖線で示すように、取水口Ｑａへ流れ込むようになっている。このとき、蓋４０の上部４１は密閉されていることから、浴用水Ｗoが取水口Ｑａへ流れ込むときに、浴用水Ｗoとともに空気が混入されることはない。この結果、取水管１５及び給水管１６の途中に空気が混入するのを確実に抑制することができる。
・上記各実施形態では、消毒液ＬＭを含んだ浴用水Ｗoが、排水管１７→配管１９→バイ
パス管２０→給水管１６→浴槽１１→取水管１５を約３〜６回環流する期間だけ行うようにしたが、本発明はこれに限定されない。要は、各取水管１５、排水管１７、配管１９、バイパス管２０、給水管１６及び浴槽１１内の消毒処理が確実に行われる程度であれば、環流させる回数は何回であってもよい。
・上記各実施形態では、循環浄化装置としての浴槽１１内に貯留された浴用水Ｗoを浄化
するものに適用したが、本発明はこれに限定されず、他の用途で使用される水が水槽に貯留されたものを、浄化させて長時間使用させるようにする循環浄化装置に適用してもよい。例えば、プールの循環浄化装置に適用してもよい。
・上記各実施形態では、濾過装置１２として砂状の濾過材を使用した濾過装置に適用したが、本発明は、これに限定されるものではなく、他の濾過材を備えたものに適用してもよい。例えば、この他の濾過材としては、キレート吸着材を使用したものに適用してもよい。このようにした場合であっても、上記各実施形態と同様の効果を得ることができる。
・上記各実施形態の循環浄水装置１０は、その設置場所が室外及び室内によって限定されるものではないが、例えば、循環浄水装置１０の一部または全部が室外に設置される場合においては、その室外の温度や照射される紫外光に応じた対策を講じるようにしても良い。このようにすることで、適切な浴用水Ｗoの浄化の管理を行う循環浄水装置を実現する
ことができる。
【図面の簡単な説明】
【００６７】
【図１】第１実施形態に係る循環浄水装置の構成を説明するための図。
【図２】循環浄水装置の濾過運転を説明するための図。
【図３】濾過装置の逆洗処理を説明するための図。
【図４】循環浄水装置の洗浄方法を説明するための図。
【図５】同じく、循環浄水装置の洗浄方法を説明するための図。
【図６】同じく、循環浄水装置の洗浄方法を説明するための図。
【図７】同じく、循環浄水装置の洗浄方法を説明するための図。
【図８】第２実施形態に係る浴槽の構成を説明するための図。
【図９】第３実施形態に係る浴槽の構成を説明するための図。
【図１０】別例を説明するための図。
【図１１】別例を説明するための図。
【符号の説明】
【００６８】
Ｗo…水としての浴用水、Ｗ1…処理水、ＬＭ…消毒剤としての消毒液、１０…循環浄水装置、１１，２５…水槽としての浴槽、１２…濾過装置、１３…貯留量測定手段として貯留量測定部、１４…消毒剤供給部、１５…取水管、１６…給水管、２５ａ…貯留手段としての凹部。
【図１】
2007319801.tif 000003
【図２】
2007319801.tif 000004
【図３】
2007319801.tif 000005
【図４】
2007319801.tif 000006
【図５】
2007319801.tif 000007
【図６】
2007319801.tif 000008
【図７】
2007319801.tif 000009
【図８】
2007319801.tif 000010
【図９】
2007319801.tif 000011
【図１０】
2007319801.tif 000012
【図１１】
2007319801.tif 000013